(57)【要約】【課題】取付縦枠を共通として見込み寸法の大きな縦枠を取付けできる持ち出し窓とする。【解決手段】取付枠Ａ内にサッシ枠Ｂを取付けた持ち出し窓において、取付枠Ａの取付縦枠３０に縦シール材９を装着し、サッシ枠Ｂの縦枠７２に縦枠アタッチメント６０を取付け、この縦枠アタッチメント６０の支持部６０ａで取付縦枠３０のシール材装着部と縦枠７２の室外側取付部７２ｃを挟持し、その室外側取付部７２ｃを縦シール材９の見付け方向内面に圧接して、取付縦枠３０の見付け方向内面３０ｂよりも縦枠７２の見付け方向内面７２ｄが見付け方向内側位置とした持ち出し窓。【選択図】      図２
2004324077.tif 000002
【特許請求の範囲】
【請求項１】
取付上枠と取付下枠と左右の取付縦枠を枠組みした取付枠と、
上枠と下枠と左右の縦枠を枠組みしたサッシ枠と、
前記取付上枠に取付けられ、上枠を支持した上枠アタッチメントと、前記取付下枠に取付けられ、下枠を支持した下枠アタッチメントと、前記縦枠に取付けられ、取付縦枠に支持された縦枠アタッチメントを備え、
前記取付縦枠に縦シール材が装着され、この縦シール材の見付け方向内面に、縦枠の室外側取付部が圧接して、取付縦枠の見付け方向内面よりも縦枠の見付け方向内面が見付け方向内側に位置していることを特徴とする持ち出し窓。
【請求項２】
縦枠アタッチメントは、取付縦枠のシール材装着部を支持し、縦枠の室外側取付部を縦シール材に圧接する室外側に開口したコ字形状の支持部を有する請求項１記載の持ち出し窓。
【請求項３】
取付下枠に下横シール材が装着され、この下横シール材の上面に下枠の室外側取付部が圧接している請求項１又は２記載の持ち出し窓。
【請求項４】
下枠アタッチメントは、取付下枠のシール材装着部を支持し、下枠の室外側取付部を下横シール材に圧接する室外側に開口したコ字形状の支持部を有し、
この下枠アタッチメントは、室内外側方向に移動自在で室外側に移動した位置で固着される請求項３記載の持ち出し窓。
【発明の詳細な説明】
【０００１】
【発明の属する技術分野】
本発明は、出窓、張出し窓などの建物開口部の室外側面に取付けられる持ち出し窓に関する。
【０００２】
【従来の技術】
特許文献１に開示された持ち出し窓が知られている。
この持ち出し窓は、取付上枠と取付下枠と左右の取付縦枠を枠組みした取付枠と、上枠と下枠と左右の縦枠を枠組みしたサッシ枠と、取付上枠と上枠を連結する上枠アタッチメントと、取付縦枠と縦枠を連結する縦枠アタッチメントを備え、左右の取付縦枠の室内側部に装着したシール材に、左右の縦枠の室外側面を圧接して取付縦枠と縦枠との間からの雨水の浸入防止と、すきま防止をしている。
【０００３】
【特許文献１】
特許第３１８０２８６号公報
【０００４】
【発明が解決しようとする課題】
前述した従来の持ち出し窓は、縦枠の室外側面が取付縦枠の室内側部に装着したシール材に圧接しているから、その縦枠の室外側部が取付縦枠の室内側部と見込み方向に対向し、縦枠の室外側部と取付縦枠の室内側部は見付け方向に重なり合う（ラップ）ことが要求される。
このために、取付縦枠を共通として見込み寸法が異なる縦枠（サッシ枠）を取付けできない。
例えば、見込み寸法が大きな縦枠は、その室外側部が取付縦枠の室内側部に干渉するので、取付けできない。
見込み寸法が小さな縦枠は、その室外側部がシール材に圧接しないから、取付けできない。
【０００５】
また、サッシ枠の見付け寸法は加工誤差、組立誤り等で誤差があるので、その誤差があっても縦枠の室外側部が取付縦枠の室内側部に重なり合うように、その重なり寸法（ラップ寸法）を大きくしている。
このために、取付縦枠の室内側部が縦枠の室外側部に対して見付け方向内側（反対側の縦枠）に向けて大きく突出し、サッシ枠に障子を室外側に開くように装着した場合、例えば縦辷り出し窓の場合には、障子を開く時に取付縦枠の室内側部に干渉する恐れがある。
このことは、取付枠内に複数のサッシ枠を取付けた連窓の場合に著しい。つまり、連窓の場合にはサッシ枠が複数であるから、そのサッシ枠の見付け寸法の総和が大きく、誤差も大きいので、前述の重なり寸法（ラップ寸法）がより大きいから、障子を室外側に開いた時に取付縦枠の室内側部に干渉する恐れがある。
【０００６】
本発明は、前述の課題に鑑みなされたものであり、その目的は、取付縦枠と縦枠との間からの浸水防止、すきま防止できると共に、取付縦枠を共通として見込み寸法の異なる縦枠を取付けできるようにした持ち出し窓を提供することである。
【０００７】
【課題を解決するための手段】
第１の発明は、取付上枠と取付下枠と左右の取付縦枠を枠組みした取付枠と、
上枠と下枠と左右の縦枠を枠組みしたサッシ枠と、
前記取付上枠に取付けられ、上枠を支持した上枠アタッチメントと、前記取付下枠に取付けられ、下枠を支持した下枠アタッチメントと、前記縦枠に取付けられ、取付縦枠に支持された縦枠アタッチメントを備え、
前記取付縦枠に縦シール材が装着され、この縦シール材の見付け方向内面に、縦枠の室外側取付部が圧接して、取付縦枠の見付け方向内面よりも縦枠の見付け方向内面が見付け方向内側に位置していることを特徴とする持ち出し窓である。
【０００８】
第２の発明は、第１の発明において縦枠アタッチメントは、取付縦枠のシール材装着部を支持し、縦枠の室外側取付部を縦シール材に圧接する室外側に開口したコ字形状の支持部を有する持ち出し窓である。
【０００９】
第３の発明は、第１又は第２の発明において取付下枠に下横シール材が装着され、この下横シール材の上面に下枠の室外側取付部が圧接している持ち出し窓である。
【００１０】
第４の発明は、第３の発明において下枠アタッチメントは、取付下枠のシール材装着部を支持し、下枠の室外側取付部を下横シール材に圧接する室外側に開口したコ字形状の支持部を有し、
この下枠アタッチメントは、室内外側方向に移動自在で室外側に移動した位置で固着される持ち出し窓である。
【００１１】
【作  用】
第１の発明によれば、取付縦枠に装着した縦シール材と縦枠の室外側取付部が圧接していることによって、取付縦枠と縦枠との間からの浸水防止、すきま防止できる。
前記縦枠の室外側取付部は縦シール材の見付け方向内面に圧接して取付縦枠の見付け方向内面よりも縦枠の見付け方向内面が見付け方向内側に位置しているので、その縦枠の室外側取付部よりも室外寄り部分を縦シール材よりも室外側に突出させることができ、取付縦枠を共通として見込み寸法の異なる縦枠を取付けできる。
しかも、連窓の場合でもサッシ枠に装着した障子を室外に開放した際に、その障子が取付縦枠の見付け方向内面に干渉することがない。
【００１２】
第２の発明によれば、縦枠に縦枠アタッチメントを取付けた状態で、室内側から室外側に向けて移動してサッシ枠を取付枠内に挿入することで、縦枠アタッチメントの支持部で縦枠の室外側取付部を縦シール材に圧接することができる。
【００１３】
第３の発明によれば、下枠の室外側取付部が下横シール材の上面に圧接しているので、下枠と取付下枠との間からの浸水防止、すきま防止できるし、その下枠の室外側取付部よりも室外寄り部分を下横シール材よりも室外側に突出させることができる。
よって、取付下枠を共通として見込み寸法の異なる下枠を取付けできる。
【００１４】
第４の発明によれば、下枠アタッチメントを室内側に移動した状態で下枠を取付け、その後に下枠アタッチメントを室外側に移動することで下枠アタッチメントの支持部で下枠の室外側取付部を下横シール材を圧接することができる。
【００１５】
【発明の実施の形態】
図１と図２に示すように、取付上枠１０と取付下枠２０と左右の取付縦枠３０を枠組みして取付枠Ａとしてある。
前記取付上枠１０に上枠アタッチメント４０が取付けてある。
前記取付下枠２０に下枠アタッチメント５０が補強材５１を介して取付けてある。
前記取付縦枠３０に縦枠アタッチメント６０が支持される。
上枠７０と下枠７１と左右の縦枠７２を枠組みしてサッシ枠Ｂとしてある。
【００１６】
前記取付上枠１０、取付下枠２０、取付縦枠３０は建物開口部１の室外側面２に取付けてある。
前記上枠７０は、その室内側取付部７０ａが建物開口部１の上内面、例えば額縁３に固着具４で固着されると共に、室内外側方向中間部７０ｂが上枠アタッチメント４０に支持され、室外側取付部７０ｃが取付上枠１０に装着した上横シール材５に圧接している。
前記上枠アタッチメント４０は取付上枠１０に取付けられると共に、上枠７０の室内外側方向中間部７０ｂに係止する係止部４０ａを有している。
前記下枠７１は、その室内側取付部７１ａが建物開口部１の下内面、例えば地板６に固着具４で固着され、室外側取付部７１ｂが取付下枠２０に装着した下横シール材７に圧接している。
前記下枠アタッチメント５０は、取付下枠２０のシール材装着部２０ａと下枠７１の室外側取付部７１ｂを挟持する支持部５０ａを有し、図３に示すように、この支持部５０ａで下枠７１の室外側取付部７１ｂを下横シール材７の上面に圧接している。
【００１７】
前記縦枠７２の室内側取付部７２ａは建物開口部１ａの縦内面、例えば額縁８に固着具４で固着され、室内外側方向中間部７２ｂに縦アタッチメント６０が固着してある。
前記縦枠７２の室外側取付部７２ｃは取付縦枠３０に装着した縦シール材９の見付け方向内側面に圧接し、その室外側取付部７２ｃは、取付縦枠３０のシール材取付部３０ａよりも見付け方向内側に位置し、縦枠７２の見付け方向内面７２ｄは取付縦枠３０の見付け方向内面３０ｂよりも見付け方向内側に位置している。
前記縦枠アタッチメント６０は、縦枠７２の室外側取付部７２ｃと取付縦枠３０のシール材装着部３０ａを挟持する支持部６０ａを有し、図４に示すように、この支持部６０ａで縦枠７２の室外側取付部７２ｃを支持すると共に、その支持している部分に縦シール材９が圧着して水密するようにしてある。つまり、縦枠７２の室外側取付部７２ｃを縦シール材９の見付け方向内面に圧接している。
前記縦枠アタッチメント６０は取付縦枠３０に圧接する圧接部６０ｂを有する。
【００１８】
前述のように、縦枠７２の室外側取付部７２ｃが取付縦枠３０に装着した縦シール材９の見付け方向内側面に圧接して縦枠７２と取付縦枠３０との間を水密すると共に、すきまが生じないようにしているので、縦枠７２の室外側取付部７２ｃが取付縦枠３０と見付け方向に重なり合うことがなく、見込み寸法の異なる縦枠７２を取付けできる。
例えば、図５、図６に示すように見込み寸法の大きな縦枠７２、上枠７０、下枠７１を取付けできる。
【００１９】
図５において、上枠７０は、その上面板７３の室外側寄りが階段形状で、その段差部を室外側取付部７０ｃとし、その室外側取付部７０ｃが上横シール材５に圧接すると共に、室外側端部７０ｄを上横シール材５よりも室外側に突出してある。
図５において、下枠７１は、図７に示すように、その室外寄りに鉤片７４を備え、室外側端部７１ｃが鉤片７４よりも室外寄りとした形状で、その鉤片７４が室外側取付部７１ｂで、室外側端部７１ｃは下横シール材７よりも室外側に突出する。
【００２０】
図６において、縦枠７２は、図８に示すように、その室外寄りに鉤片７５を備え、室外側端部７２ｅが鉤片７５よりも室外寄りとした形状で、その鉤片７５が室外側取付部７２ｃで、室外側端部７２ｅは縦シール材９よりも室外側に突出する。
図５、図６ではサッシ枠Ｂに上下障子が上下動自在に装着された上げ下げ窓であるが、図１、図２に示すようにガラスを装着した嵌め殺し窓でも良いことは勿論である。
【００２１】
また、連窓の場合でも取付縦枠３０の見付け方向内面３０ｂよりも縦枠７２の見付け方向内面７２ｄが見付け方向内面に位置し、障子を開放した時に取付縦枠３０に干渉することがない。
【００２２】
次に、各部材の具体形状の一例を説明する。
前記取付上枠１０は図１に示すように、横板１１と縦板１２により鉤形となり、その横板１１の室内側端部が折り曲げられて躯体への取付片１１ａとしてある。前記横板１１の内面には複数のビスホール１３が一体的に設けてあり、そのビスホール１３が室内側被係合部としてある。
前記縦板１２の下端部に内向片１４が一体に設けられ、この内向片１４に室内側に開口した凹条溝１５が形成してあり、その凹条溝１５に前記上横シール材５が装着してある。
前記縦板１２の下端寄りと内向片１４に亘って室外側被係合部が形成してある。例えば、凹条溝１５の底壁部分１５ａと内向片１４と縦板１２の下端寄りでほぼ上向きコ字状の凹部１２ａを形成し、その凹部１２ａを室外側被係合部としてある。
前記縦板１２の室外側面には上下一対の係止受片１６が一体的に設けてあり、この係止受片１６に上カバー体１７がスナップ式に係合して取付けてある。
【００２３】
前記取付下枠２０は横板２１と縦板２２で鉤形となり、この横板２１の室内側端部には下向きの取付片２３と上向きの連結片２４が一体的に設けてある。前記縦板２２の上部には内向片２５が一体的に設けてあり、この内向片２５には上方に開口した凹条溝２６が形成され、その凹条溝２６に前記下横シール材７が装着してある。この凹条溝２６を形成した部分が前述のシール材装着部２０ａである。
前記縦板２２の室外側面には上下一対の係止受片２７が一体的に設けてあり、この係止受片２７に下カバー体２８がスナップ式に係合して取付けてある。
【００２４】
前記取付縦枠３０は図２に示すように、面外方向に向かう第１縦板３１と面内方向に向かう第２縦板３２で鉤形となり、その第１縦板３１の室内側部には中空部３１ａが形成してあると共に、躯体への取付片３３が一体的に設けてある。
前記第２縦板３２の端部には内向片３４が一体的に設けてあり、その内向片３４には見付け方向内側に開口した凹条溝３５が設けられ、その凹条溝３５に前記縦シール材９が装着され、この凹条溝３５を形成した部分が前述のシール材装着部３０ａである。
前記上枠アタッチメント４０は本体４１と、この本体４１の上部に一体に設けた室内側係合片４２と、本体４１の下部に一体的に設けた室外側係合片４３と、本体４１に一体的に設けた上枠支持片４４を有する形材としてある。その室内側係合片４２の球状部４２ａが取付上枠１０のビスホール１３に長手方向より係合し、その室内側係合片４２が室内側係合部となっている。前記室外側係合片４３が取付上枠１０の凹部１２ａに係合し、その室外側係合片４３が室外側係合部としてある。
前記上枠支持片４４は、基端横片４４ａと中間縦片４４ｂと先端横片４４ｃでほぼクランク形状で、その先端横片４４ｃに上枠７０の立上り片７６を押しつけることで上枠支持片４４が上方に弾性変位して立上り片７６が通過すると中間縦片４４ｂが立上り片７６（室内側面）に接して上枠７０を支持する。つまり、上枠支持片４４が前述の上枠支持部４０ａである。
【００２５】
このようであるから、上枠アタッチメント４０は取付上枠１０の長手方向よりスライドして室内側係合部、室外側係合部を室内側被係合部、室外側被係合部にそれぞれ係合して取付けられる。この上枠アタッチメント４０に対して上枠７０を室内側から室外側に向けて移動することで上枠７０が上枠アタッチメント４０に支持される。
【００２６】
前記補強材５１は、躯体取付片５２を有する室内側縦板５３と階段形状に折曲した上横板５４と下横板５５と室外側縦板５６により２つの中空部を有する。
前記下枠アタッチメント５０は、階段形状の横板５７を備え、この横板５７が補強材５１の上横板５４に室内外側方向に移動可能に接してビス５８で固着され、この横板５７の室外側部が下片５７ａと上片５７ｂで２又形状で、その下片５７ａにシール材装着部２０ａが接し、上片５７ｂが下横シール材７と室外側取付部７１ｂに圧接し、この下片５７ａと上片５７ｂで室外側に開口したほぼコ字形状の支持部５０ａを形成している。
【００２７】
前記縦枠７２は、見込み方向に向かう縦板７７と横向縦板７８を備え、この縦板７７の室外側端部が鉤形状に折曲して室外側取付部７２ｃとしてある。前記横向縦板７８が前記室内外側方向中間部７２ｂである。
前記縦枠アタッチメント６０は、中間横向片６１と室外側片６２と室内側片６３でほぼクランク形状で、その室外側片６２の先端部は係止片６４と受片６５で２又形状で、その係止片６４が鉤形状の室外側取付部７２ｃに係止し、受け６５がシール材装着部３０ａに接する。つまり、係止片６４と受片６５で室外側に開口したほぼコ字形状の支持部６０ａである。
前記中間横向片６１がビス６６で横向縦板７８に固着され、室内側片６３の端部（圧接部６０ｂ）が取付縦枠３０の第１縦板３１に圧接し、内向片３１ｂに当接している。
【００２８】
前述の持ち出し窓は次のようにして取付けられる。
建物開口部１の室外側面２に取付枠Ａを固着具で固着して取付ける。この時、取付上枠１０に上枠アタッチメント４０が取付けてある。
補強部５１を取付け、その補強部５１に下枠アタッチメント５０を載置して室内側寄り位置とする。
サッシ枠Ｂを枠組みすると共に、縦枠７２に縦枠アタッチメント６０を取付ける。
前述のサッシ枠Ｂを取付枠Ａ内に室内側から室外側に向けて挿入し、前述のように上枠７０と上枠アタッチメント４０を支持すると共に、縦枠アタッチメント６０の圧接部６０ｂを取付縦枠３０の内面に押しつけ、支持部６０ａで縦枠７２の室外側取付部７２ｃを縦シール材９に圧接する。
これと同時に、上枠７０の室外側取付部７０ｃを上横シール材５に圧接する。前記下枠アタッチメント５０を室外側に移動して支持部５０ａで下枠７１の室外側取付部７１ｂを下横シール材７に圧接し、下枠アタッチメント５０をビス５８で補強部５１に固定する。
最後に、額縁３、地板６、額縁８を取付け、各室内側取付部７０ａ，７１ａ，７２ａを固着具４でそれぞれ固着する。
【００２９】
図５、図６に示す場合には、前述と同様に取付けられるが、上枠７０の上面板７３の室外側寄りが取付上枠１０の内向片１４と対向し、下枠７１の室外側端部７１ｃが取付下枠２０の内向片２５と対向し、縦枠７２の室外側端部７２ｅが取付縦枠３０の内向片３４と対向する。
【００３０】
次に、図１、図２の状態からサッシ枠Ｂの取り外しについて説明する。
額縁３、地板６、額縁８をそれぞれ取り外しする。
図１におけるビス５８を弛め、下枠アタッチメント５０を室内側に移動して支持部５０ａを室外側取付部７１ｂ、シール材装着部２０ａと離隔し、下枠アタッチメント５０を取り外しする。必ずしも取り外す必要はない。
上枠アタッチメント４０の上枠支持片４４を上方に折り曲げて立上り片７６から離脱すると共に、縦枠アタッチメント６０の室内側片６３を内方に折り曲げて内向片３１ｂから離脱する。
【００３１】
左右一方の縦枠アタッチメント６０の室内側片６３を工具を用いて内側に曲げ、サッシ枠Ｂを左右一方側に寄せる。
この状態で上枠７０の立上り片７６、縦枠７２の横向縦板７８を折り取り溝７６ａ，７８ａから折り取る。
サッシ枠Ｂを斜め室内側に向けて取り外しする。
【００３２】
前述の状態から再びサッシ枠Ｂを取付ける動作を説明する。
既存の上枠アタッチメント４０の上枠支持片４４を元の状態に戻す。
下枠アタッチメント５０を取付けると共に、室内側に移動させる。
新しい縦枠７２に縦板アタッチメント６０をそれぞれ取付ける。
このサッシ枠Ｂを、その下枠７１を下枠アタッチメント５０に嵌め込みながら室内側から取付枠Ａ内に押し込み、下枠アタッチメント５０を室外側に移動して固着することで、上枠７０の立上り片７６が上枠アタッチメント４０の上枠支持片４４にスナップ式に係合して支持されると共に、縦枠アタッチメント６０の圧接部６０ｂが第１縦板３１の内向片３１ｂに接して支持される。
【００３３】
図９と図１０は断熱性に優れた持ち出し窓を示し、取付枠Ａの室内側内部に断熱材８０を設けてあると共に、サッシ枠Ｂの上枠７０、縦枠７２をアルミ・樹脂複合タイプとし、下枠７１を断熱形材としてある。
具体的には、取付上枠１０の室内側部と上枠アタッチメント４０と室外側面２と額縁３、上枠７０の室内側部で囲まれた空間に断熱材８０が設けてある。
上枠７０は、アルミ製本体８１の室内側部に樹脂部材８２をビス８３で固着してある。
補助材５１と下枠アタッチメント５０と地板６と下枠７１の室内側部との空間内に断熱材８０が設けてある。
下枠７１はアルミ製の室外側部材８４とアルミ製の室内側部材８５を断熱材８６で連結した断熱形材で、その室内側部材８５が断熱ライナー９０を介して下枠アタッチメント５０に接し、下枠アタッチメント５０と室内側部材８５に熱が伝わらないようにしてある。
取付縦枠３０の室内側部と縦枠アタッチメント６０と縦枠７２の室内側部と室外側面２との間の空間に断熱材８０が設けてある。
縦枠７２は、アルミ製本体８７の室内側部に樹脂部材８８をビス８９で固着してある。
【００３４】
この持ち出し窓であれば、室内と室外との断熱性が向上し、サッシ枠Ｂの室内側部に結露が発生することがない。
【００３５】
以上の各実施の形態において、下枠アタッチメント５０は補強部５１に取付けしたが、取付下枠２０に直接的に取付けしても良い。
【００３６】
【発明の効果】
請求項１に係る発明によれば、取付縦枠に装着した縦シール材と縦枠の室外側取付部が圧接していることによって、取付縦枠と縦枠との間からの浸水防止、すきま防止できる。
前記縦枠の室外側取付部は縦シール材の見付け方向内面に圧接して取付縦枠の見付け方向内面よりも縦枠の見付け方向内面が見付け方向内側に位置しているので、その縦枠の室外側取付部よりも室外寄り部分を縦シール材よりも室外側に突出させることができ、取付縦枠を共通として見込み寸法の異なる縦枠を取付けできる。
しかも、連窓の場合でもサッシ枠に装着した障子を室外に開放した際に、その障子が取付縦枠の見付け方向内面に干渉することがない。
【００３７】
請求項２に係る発明によれば、縦枠に縦枠アタッチメントを取付けた状態で、室内側から室外側に向けて移動してサッシ枠を取付枠内に挿入することで、縦枠アタッチメントの支持部で縦枠の室外側取付部を縦シール材に圧接することができる。
【００３８】
請求項３に係る発明によれば、下枠の室外側取付部が下横シール材の上面に圧接しているので、下枠と取付下枠との間からの浸水防止、すきま防止できるし、その下枠の室外側取付部よりも室外寄り部分を下横シール材よりも室外側に突出させることができる。
よって、取付下枠を共通として見込み寸法の異なる下枠を取付けできる。
【００３９】
請求項４に係る発明によれば、下枠アタッチメントを室内側に移動した状態で下枠を取付け、その後に下枠アタッチメントを室外側に移動することで下枠アタッチメントの支持部で下枠の室外側取付部を下横シール材を圧接することができる。
【図面の簡単な説明】
【図１】本発明の第１の実施の形態を示す縦断面図である。
【図２】本発明の第１の実施の形態を示す横断面図である。
【図３】下枠の支持部部分の拡大図である。
【図４】縦枠の支持部部分の拡大図である。
【図５】見込み寸法の大きな上枠、下枠を取付けた状態の縦断面図である。
【図６】見込み寸法の大きな縦枠を取付けた状態の横断面図である。
【図７】下枠の支持部部分の拡大図である。
【図８】縦枠の支持部部分の拡大図である。
【図９】本発明の第２の実施の形態を示す縦断面図である。
【図１０】本発明の第２の実施の形態を示す横断面図である。
【符号の説明】
１…建物開口部、２…室外側面、５…上横シール材、７…下横シール材、９…縦シール材、１０…取付上枠、２０…取付下枠、３０…取付縦枠、３０ｂ…見付け方向内面、４０…上枠アタッチメント、５０…下枠アタッチメント、５０ａ…支持部、５１…補強材、６０…縦枠アタッチメント、６０ａ…支持部、７０…上枠、７１…下枠、７１ｂ…室外側取付部、７２…縦枠、７２ｃ…室外側取付部、７２ｄ…見付け方向内面。
【図１】
2004324077.tif 000003
【図２】
2004324077.tif 000004
【図３】
2004324077.tif 000005
【図４】
2004324077.tif 000006
【図５】
2004324077.tif 000007
【図６】
2004324077.tif 000008
【図７】
2004324077.tif 000009
【図８】
2004324077.tif 000010
【図９】
2004324077.tif 000011
【図１０】
2004324077.tif 000012